(57)【要約】      （修正有）【課題】ブラシマークの発生が低減された、感光性樹脂凸版のバッチ式現像装置を提供する。【解決手段】ブラシ６と、ブラシ６と対向して配置された版保持台４を有し、版保持台４またはブラシ６を往復移動させる往復スライド機構と、版保持台４またはブラシ６を回転させる回転機構と、を有する感光性樹脂凸版のバッチ式現像装置であって、版保持台４は、基台４ａと、基台４ａ上に配置された版装着台４ｂを有し、往復スライド機構は、基台を往復移動させる機構であり、回転機構は、版装着台を回転させる機構であり、ブラシは、固定されている。【選択図】図１
0003233650.tif 000002
【実用新案登録請求の範囲】
【請求項１】
ブラシと、前記ブラシと対向して配置された版保持台を有し、
前記版保持台または前記ブラシを往復移動させる往復スライド機構と、
前記版保持台または前記ブラシを回転させる回転機構と、
を有することを特徴とする感光性樹脂凸版のバッチ式現像装置。
【請求項２】
前記版保持台は、基台と、前記基台上に配置された版装着台を有し、
前記往復スライド機構は、前記基台を往復移動させる機構であり、
前記回転機構は、前記版装着台を回転させる機構であり、
前記ブラシは、固定されている、
ことを特徴とする請求項１に記載の感光性樹脂凸版のバッチ式現像装置。
【請求項３】
前記回転機構は、ワンウエイクラッチ機構を有することを特徴とする請求項１または２に記載の感光性樹脂凸版のバッチ式現像装置。
【請求項４】
前記ワンウエイクラッチ機構は、外輪と、前記外輪に固定されたレバーと、前記レバーに当接するストッパーを有することを特徴とする請求項３に記載の感光性樹脂凸版のバッチ式現像装置。
【請求項５】
前記往復スライド機構は、スライダクランク機構を有することを特徴とする請求項１乃至４のいずれか一項に記載の感光性樹脂凸版のバッチ式現像装置。
【請求項６】
前記版装着台は、間欠的に回転することを特徴とする請求項１乃至５のいずれか一項に記載の感光性樹脂凸版のバッチ式現像装置。
【考案の詳細な説明】
【技術分野】
【０００１】
本考案は、感光性樹脂凸版のバッチ式現像装置に関する。
【背景技術】
【０００２】
感光性樹脂凸版を現像する現像装置として、二つのタイプが挙げられる。一つは、搬送ローラーなどで、現像工程等の各工程ユニットに感光性樹脂凸版を順次搬送していく搬送式の装置である。もう一つは搬送されずに１カ所で感光性樹脂凸版の現像を行うバッチ式の装置である。
【０００３】
搬送式の装置は、現像装置としてはサイズが比較的大型であり、機構が複雑であるため高価である。一方、バッチ式の装置は、サイズがコンパクトであり安価であるため、製版業者、印刷業者が導入しやすい装置である。バッチ式の装置としては、特許文献１に記載された装置が挙げられる。
【先行技術文献】
【特許文献】
【０００４】
【特許文献１】特開２００５−２６６４１６号公報
【考案の概要】
【考案が解決しようとする課題】
【０００５】
しかし、特許文献１に記載された装置は、ブラシの円運動だけで感光性樹脂凸版の未硬化部分をこすり落として現像する。そのため、感光性樹脂凸版にブラシマーク（ブラシでこすった傷跡）が発生するという問題があった。
【０００６】
本考案は、上記従来の問題に鑑み、ブラシマークの発生が低減された、感光性樹脂凸版のバッチ式現像装置を提供することを目的とする。
【課題を解決するための手段】
【０００７】
本考案の感光性樹脂凸版のバッチ式現像装置は、
ブラシと、前記ブラシと対向して配置された版保持台を有し、
前記版保持台または前記ブラシを往復移動させる往復スライド機構と、
前記版保持台または前記ブラシを回転させる回転機構と、
を有することを特徴とする。
【考案の効果】
【０００８】
本考案によれば、ブラシマークが少ない感光性樹脂凸版を製造することができる。本考案のバッチ式現像装置は、レタープレス印刷用の感光性樹脂凸版、フレキソ印刷用の感光性樹脂凸版のいずれにも適用可能である。
【図面の簡単な説明】
【０００９】
【図１】本考案の感光性樹脂凸版のバッチ式現像装置の一例を示す概略構成図である。
【図２】往復スライド機構の一例を示す概略構成図である。
【図３】回転機構の一例を示す概略構成図である。
【図４】回転機構を装着した版保持台の一例を示す概略構成図である。
【図５】版保持台の動作を説明する図である。
【図６】版保持台の動作を説明する図である。
【考案を実施するための形態】
【００１０】
以下、本考案について図面を用いて詳細に説明するが、本考案は、以下に示す例に限定されるものではない。
【００１１】
本考案の感光性樹脂凸版のバッチ式現像装置は、ブラシと、ブラシと対向して配置された版保持台を有する。また、本考案の感光性樹脂凸版のバッチ式現像装置は、版保持台またはブラシを往復移動させる往復スライド機構と、版保持台またはブラシを回転させる回転機構と、を有する。
【００１２】
以下、往復スライド機構が版保持台を往復移動させ、回転機構が版保持台を回転させる態様について説明するが、考案は、この態様に限定されない。本考案は、往復スライド機構が版保持台を往復移動させ、回転機構がブラシを回転させる態様、往復スライド機構がブラシを往復移動させ、回転機構が版保持台を回転させる態様、往復スライド機構がブラシを往復移動させ、回転機構がブラシを回転させる態様を含むものである。
【００１３】
図１は、本考案の感光性樹脂凸版のバッチ式現像装置の一例を示す概略構成図である。図１において、１は本体、２は蓋、３は現像槽、４は版保持台、４ａは基台、４ｂは版装着台、５は感光性樹脂凸版、６はブラシ、７は排水口、８はフィルター、９はポンプである。
【００１４】
図１の装置は、本体１と蓋２を有する。本体１は現像槽３を有し、現像槽３内には、感光性樹脂凸版５を保持する版保持台４が設けられている。版保持台４は、基台４ａと、基台４ａ上に配置された版装着台４ｂを有する。感光性樹脂凸版５は、版装着台４ｂに装着される。一方、蓋２には、ブラシ６が固定されている。版保持台４とブラシ６は、蓋２を閉じた状態で対向し、ブラシ６の毛先が、版保持台４に保持された感光性樹脂凸版５と接する様に配置されている。感光性樹脂凸版５は、フレキソ版でもレタープレス版でもよく、また、ＣＴＰ版でもアナログ版でもよく、また、水現像用の版でもアルカリ現像用の版でもよい。
【００１５】
現像液は、ブラシ６に設けられた穴より感光性樹脂凸版５に供給され、現像槽３内に設けられた排水口７から排水される。現像槽３の底面は、排水口７に向かう傾斜面を有している。現像槽３から排水された現像液は、フィルター８、ポンプ９を経由して、循環されている。
【００１６】
現像開始のスイッチ操作をすると、まずポンプ９が作動し感光性樹脂凸版５に現像液が供給される。その後、基台４ａを往復移動させる往復スライド機構と、版装着台４ｂを回転させる回転機構が作動し、基台４ａが左右に往復移動すると共に、版装着台４ｂは回転する。そして、版保持台４に保持された感光性樹脂凸版５は、左右に往復移動すると共に回転し、未硬化部分がブラシ６によりこすり落とされ、感光性樹脂凸版５が現像される。そのため、現像されたれた感光性樹脂凸版５は、ブラシマークが少なく、高精細の現像も可能である。
【００１７】
＜往復スライド機構＞
往復スライド機構は、基台４ａを往復移動させる。往復スライド機構は、基台４ａを往復移動させることができる機構であればよく、特に限定されないが、例えばスライダクランク機構等が挙げられる。
【００１８】
図２は、往復スライド機構の一例を示す概略構成図であり、本体１（現像槽３）を真上から見た図である。図２において、２１は駆動リンク、２２は中間リンク、２３は支点、２４はフレーム、２５はレールである。
【００１９】
図２に示すスライド機構は、スライダクランク機構を利用している。図２の機構では、駆動リンク２１が回転すると、中間リンク２２に引っ張られたり押されたりして支点２３に固定されたフレーム２４がレール２５上を、直線的に左右に往復移動する。基台４ａは、フレーム２４に固定され、フレーム２４と共に直線的に左右に往復移動する。
【００２０】
＜回転機構＞
版装着台４ｂは、回転機構により、回転する。回転機構は、版装着台４ｂを回転させることができる機構であればよく、特に限定されないが、例えばワンウエイクラッチ機構等が挙げられる。
【００２１】
図３は、回転機構の一例を示す概略構成図である。図３において、３１は外輪、３２は内輪、３３はコロ、３４は保持穴、３５はレバーである。
【００２２】
図３に示す回転機構は、ワンウエイクラッチ機構を利用している。図３において、レバー３５は外輪３１に固定されている。コロ３３は、直径Ｘの円筒状である。保持穴３４は、コロ３３を保持するための穴である。保持穴３４は、直径がＸ＋αである円形部３４ａと、直径がＸ−αである円形部３４ｂを有する。そのため、レバー３５を左側に動かして外輪３１を反時計回りに回転させると、コロ３３が直径Ｘ−αの円形部３４ｂ側に位置するため、外輪３１と内輪３２がロックされ、内輪３２が、反時計回り（矢印の方向）に、７２°回転する。一方、レバー３５を右側に動かして外輪３１を時計回りに回転させると、コロ３３が直径Ｘ＋αの円形部３４ａ側に位置するため、外輪３１と内輪３２はフリーになり、内輪３２は回転しない。即ち、レバー３５を左右に動かすことにより、内輪３２が一方向に回転する。版装着台４ｂは、内輪３２に固定され、内輪３２と共に一方向に回転する。尚、図３の例では、保持穴３４を５つ有するが、保持穴３４の数は特に限定されず、１つ以上であればよい。
【００２３】
＜版保持台４＞
図４は、図３に示す回転機構を装着した版保持台の一例を示す概略構成図である。図４（ａ）は平面図、図４（ｂ）は図４（ａ）のＡ−Ａ断面図である。
【００２４】
図４に示す様に、感光性樹脂凸版を保持する版保持台４は、基台４ａと、基台４ａ上に配置された版装着台４ｂを有する。図４（ａ）に示す様に、基台４ａの形状は矩形状であるが、基台４ａの形状は特に限定されず、版装着台４ｂを配置できる形状であればよい。また、図４（ａ）に示す様に、版装着台４ｂの形状は円盤状であるが、版装着台４ｂの形状は特に限定されず、感光性樹脂凸版を装着できる形状であればよい。
【００２５】
図４（ｂ）に示す様に、版装着台４ｂは、内輪３２に固定されている。また、コロ３３は、基台４ａと固定板３７の間の保持穴３４内に保持されている。
【００２６】
＜ブラシ６＞
ブラシ６は少なくとも基板と毛束からなる。基板材質としては一般的に塩ビ板やポリカーボネート板、フェノール樹脂板などの樹脂板が用いられるが、それらに限定されるものではない。基板には均一またはほぼ均一配列に毛束を植え込む穴が設けられている。この穴の配列は、例えば、千鳥格子状、正方形（長方形）格子状等である。植え込む毛の材質は、特に限定されないが、例えば、ポリエチレンテレフタレート（ＰＥＴ）、ポリブチレンテレフタレート（ＰＢＴ）、ナイロン６，６、ナイロン６，１０、アクリルなどの合繊等が挙げられる。基板厚は、５ｍｍから３０ｍｍ、植え込み穴のピッチ間隔は４ｍｍから１０ｍｍ、毛束の植え込み穴径は２ｍｍから８ｍｍ、毛足長は５ｍｍから３０ｍｍ、単糸径は０．０５ｍｍから０．５ｍｍのものが望ましい。
【００２７】
ブラシ６には、感光性樹脂凸版５に現像液を供給するための供給機構が設けられていることが好ましい。例えば、ブラシ６の基板上面に現像液が貯まるように堰を設け、ブラシ６の上方から基板上面の堰内に現像液を供給する。基板には上面に貯めた現像液を感光性樹脂凸版５側に供給するための穴が開けられている。この穴の直径は、好ましくは１ｍｍから２０ｍｍである。穴の個数は１個以上であれば特に限定されない。穴の形状は特に限定されないが、例えば、円形、四角形、スリット形等が挙げられる。
【００２８】
＜装置の動作＞
現像開始のスイッチ操作をすると、まずポンプ９が作動し感光性樹脂凸版５に現像液が供給される。その後、基台４ａを往復移動させる往復スライド機構と、版装着台４ｂを回転させる回転機構が作動し、基台４ａが左右に往復移動すると共に、版装着台４ｂは回転する。
【００２９】
版保持台４の動作について、図５，６を用いて説明する。図５，６において、スライド機構（駆動リンク２１、中間リンク２２、支点２３、フレーム２４、レール２５）及びコロ３３、保持穴３４の図示は省略しているが、基台４ａは、フレーム２４に固定されている。
【００３０】
以下、版保持台４が、現像槽３の左端に位置する状態（図６（ｂ）に示す状態）からスタートした場合を例にとり説明する。
【００３１】
図５（ａ）は、版保持台４が、現像槽３の左端の位置（図６（ｂ）に示す位置）から右側にスライド移動し、レバー３５が、右側のストッパー３６ｂに当接している状態を示している。版保持台４が、図６（ｂ）の位置から、図５（ａ）の位置まで移動する間、レバー３５は図６（ｂ）に示す状態を維持し、外輪３１は回転しない。
【００３２】
図５（ｂ）は、版保持台４が、図５（ａ）に示す位置から右側にスライド移動し、現像槽３の右端に位置している状態を示している。レバー３５が、右側のストッパー３６ｂに当接しているため、版保持台４が、図５（ａ）の位置から、図５（ｂ）の位置まで移動する間、レバー３５は相対的に左側に動くことになり、外輪３１が反時計回りに回転する。図３を用いて説明した通り、レバー３５が左側に動いて外輪３１が反時計回りに回転すると、外輪３１と内輪３２がロックされ、内輪３２に固定された版装着台４ｂが反時計回り（矢印の方向）に、７２°回転する。
【００３３】
図６（ａ）は、版保持台４が、図５（ｂ）に示す位置から左側にスライド移動し、レバー３５が、左側のストッパー３６ａに当接している状態を示している。版保持台４が、図５（ｂ）の位置から、図６（ａ）の位置まで移動する間、レバー３５は図５（ｂ）に示す状態を維持し、外輪３１は回転しない。
【００３４】
図６（ｂ）は、版保持台４が、図６（ａ）に示す位置から左側にスライド移動し、現像槽３の左端に位置している状態を示している。レバー３５が、左側のストッパー３６ａに当接しているため、版保持台４が、図６（ａ）の位置から、図６（ｂ）の位置まで移動する間、レバー３５は相対的に右側に動くことになり、外輪３１が時計回りに回転する。図３を用いて説明した通り、レバー３５が右側に動いて外輪３１が時計回りに回転すると、外輪３１と内輪３２はフリーになり、内輪３２に固定された版装着台４ｂは回転しない。
【００３５】
版保持台４が、図６（ｂ）、図５（ａ）、図５（ｂ）、図６（ａ）、図６（ｂ）の順で動作を繰り返すことにより、版保持台４に保持された感光性樹脂凸版５は、左右に往復移動すると共に回転する。感光性樹脂凸版５の未硬化部分は、蓋２に固定されたブラシ６によりこすり落とされ、感光性樹脂凸版５が現像される。
【００３６】
本実施形態では、版装着台４ｂが間欠的に回転する。具体的には、版保持台４が図５（ａ）の位置から図５（ｂ）の位置まで移動する間のみ、版装着台４ｂが回転する。版装着台４ｂが回転するタイミングは、特に限定されない。また、版装着台４ｂは、間欠的ではなく常に回転していてもいい。
【符号の説明】
【００３７】
１：本体、２：蓋、３：現像槽、４：版保持台、４ａ：基台、４ｂ：版装着台、５：感光性樹脂凸版、６：ブラシ、７：排水口、８：フィルター、９：ポンプ
２１：駆動リンク、２２：中間リンク、２３：支点、２４：フレーム、２５：レール
３１：外輪、３２：内輪、３３：コロ、３４：保持穴、３４ａ，３４ｂ：円形部、３５：レバー、３６ａ、３６ｂ：ストッパー、３７：固定板
【図１】
0003233650.tif 000003
【図２】
0003233650.tif 000004
【図３】
0003233650.tif 000005
【図４】
0003233650.tif 000006
【図５】
0003233650.tif 000007
【図６】
0003233650.tif 000008
【手続補正書】
【提出日】令和3年6月17日(2021.6.17)
【手続補正１】
【補正対象書類名】実用新案登録請求の範囲
【補正対象項目名】全文
【補正方法】変更
【補正の内容】
【実用新案登録請求の範囲】
【請求項１】
ブラシと、前記ブラシと対向して配置された版保持台を有し、
前記版保持台または前記ブラシを往復移動させる往復スライド機構と、
前記版保持台または前記ブラシを回転させる回転機構と、
を有することを特徴とする感光性樹脂凸版のバッチ式現像装置。
【請求項２】
前記版保持台は、基台と、前記基台上に配置された版装着台を有し、
前記往復スライド機構は、前記基台を往復移動させる機構であり、
前記回転機構は、前記版装着台を回転させる機構であり、
前記ブラシは、固定されている、
ことを特徴とする請求項１に記載の感光性樹脂凸版のバッチ式現像装置。
【請求項３】
前記版装着台は、間欠的に回転することを特徴とする請求項２に記載の感光性樹脂凸版のバッチ式現像装置。
【請求項４】
前記回転機構は、ワンウエイクラッチ機構を有することを特徴とする請求項１乃至３のいずれか一項に記載の感光性樹脂凸版のバッチ式現像装置。
【請求項５】
前記ワンウエイクラッチ機構は、外輪と、前記外輪に固定されたレバーと、前記レバーに当接するストッパーを有することを特徴とする請求項４に記載の感光性樹脂凸版のバッチ式現像装置。
【請求項６】
前記往復スライド機構は、スライダクランク機構を有することを特徴とする請求項１乃至５のいずれか一項に記載の感光性樹脂凸版のバッチ式現像装置。